(57)【要約】      （修正有）【課題】コンベア上を搬送中の搬送物に搬送量に応じた散水を簡便な機構を用いて散水することができるうえ、故障しにくく信頼性の高い散水装置およびそれを用いた散水方法を提供する。【解決手段】コンベア１上を搬送中の搬送物１６に自動的に散水する装置であって、前記コンベアの下部に設置され搬送物の自重によって傾斜する傾動ローラー９と、該傾動ローラーを支持する架台に固定され前記傾動ローラーおよび架台が傾動することにより捻れらるバネ１２と、前記傾動する架台に連結されたレバー８によって開閉する給水弁５とを有する。【選択図】図２
2012006700.tif 000002
【特許請求の範囲】
【請求項１】
コンベア上を搬送中の搬送物に自動的に散水する装置であって、
前記コンベアの下部に設置され搬送物の自重によって傾斜する傾動ローラーと、該傾動ローラーを支持する架台に固定され前記傾動ローラーおよび架台が傾動することにより捻れらるバネと、
前記傾動する架台に連結されたレバーによって開閉する給水弁とを有することを特徴とする自動散水装置。
【請求項２】
請求項１に記載の自動散水装置を用いる散水方法であって、
前記搬送物をコークスとし、該コークスの単位時間当たりの搬送量に比例して前記給水弁の開度を調節することにより、該コークスの搬送量に応じた水量を散水することを特徴とする自動散水方法。
【発明の詳細な説明】
【技術分野】
【０００１】
本発明は、コンベア上を搬送中の搬送物に自動的に散水する装置およびそれを用いた自動散水方法に関する。
【背景技術】
【０００２】
鉄鋼製造工程においては、コンベアを用いて原材料などの搬送物を搬送することが多く、例えば、コークス工場で製造された数百℃のコークスを高炉まで搬送する場合にもコンベアが用いられており、このコークスは、発じん性を有しているため、集塵機によって煤塵を取り除くことによって、大気中の煤塵量を低減している。
【０００３】
しかし、この集塵機が故障や修理点検などのために停止している場合などには、コークスからの発じん自体を防止する必要があるうえ、コークスを高炉で使用するうえで適切な水分を含ませるための水分調整を行う必要があった。
【０００４】
そこで、従来から、コンベア上に散水装置を設けて、コンベア上コークスが搬送される途中で散水することによって、発じん防止と水分調整を行っていた。
【０００５】
しかし、従来の散水装置は、コンベアの稼動時に電磁弁を開いて散水するOn-Off制御を行っていたので、コンベアの稼動時には搬送物の有無にかかわらず常時散水するため電力および水が労費されるうえ、搬送物の搬送量に応じた散水量の調整ができないという問題点があった。
【０００６】
自動散水装置に関しては従来から種々の提案がなされており、例えば、特開２００３−１７００８５号公報には、石炭等のバラ物の搬送量を検知して、その検出値に基づいて散水量を変化させることにより、常に適切な量の散水を行うことができる散水装置が開示されている。
【０００７】
しかし、この装置は、搬送量の検出手段とその検出値に応じて散水量を変化させる制御システムが必要であり、その設備費が高くつくうえ、複雑な制御を行う必要があるため故障が多く設備の信頼性に問題があった。
【先行技術文献】
【特許文献】
【０００８】
【特許文献１】特開２００３−１７００８５号公報
【発明の開示】
【発明が解決しようとする課題】
【０００９】
本発明は、前述のような従来技術の問題点を解決し、コンベア上を搬送中の搬送物に搬送量に応じた散水を簡便な機構を用いて散水することができるうえ、故障しにくく信頼性の高い散水装置およびそれを用いた散水方法を提供することを課題とする。
【課題を解決するための手段】
【００１０】
本発明は前述の課題を解決するために鋭意検討の結果、バネとレバーを用いた簡単な機構により、コンベア上を搬送中の搬送物に搬送量に応じた散水を簡便な機構を用いて散水することができる散水装置およびそれを用いた散水方法を提供するものであり、その要旨とするところは特許請求の範囲に記載した通りの下記内容である。
（１）コンベア上を搬送中の搬送物に自動的に散水する装置であって、
前記コンベアの下部に設置され搬送物の自重によって傾斜する傾動ローラーと、該傾動ローラーを支持する架台に固定され前記傾動ローラーおよび架台が傾動することにより捻れらるバネと、
前記傾動する架台に連結されたレバーによって開閉する給水弁とを有することを特徴とする自動散水装置。
（２）（１）に記載の自動散水装置を用いる散水方法であって、
前記搬送物をコークスとし、該コークスの単位時間当たりの搬送量に比例して前記給水弁の開度を調節することにより、該コークスの搬送量に応じた水量を散水することを特徴とする自動散水方法。
【発明の効果】
【００１１】
本発明によれば、バネとレバーを用いた簡単な機構により、コンベア上を搬送中の搬送物に搬送量応じた散水を簡便な機構を用いて散水することができるうえ、故障しにくく信頼性の高い散水装置およびそれを用いた散水方法を提供することができる。
【００１２】
特に、コークスに適用することによって、コークスからの発じんを防止することができるうえ、コークス中の水分調整を行うことができるなど産業上有用な著しい効果を奏する。
【００１３】
なお、コークスには、粉コークスと塊コークスとがあるが、本発明は、その両方に適用できる。
【図面の簡単な説明】
【００１４】
【図１】本発明の自動散水装置を適用する工程を例示する図である。
【図２】本発明のコンベア上を搬送中の搬送物に自動的に散水する装置の正面図である。
【図３】本発明のコンベア上を搬送中の搬送物に自動的に散水する装置の側面図である。
【図４】本発明のコンベア上を搬送中の搬送物に自動的に散水する装置の散水停止中の側面図である。
【図５】本発明のコンベア上を搬送中の搬送物に自動的に散水する装置の散水開始時の側面図である。
【発明を実施するための形態】
【００１５】
発明を実施するための最良の形態について図１〜図５を用いて詳細に説明する。
【００１６】
図１は、本発明の自動散水装置を適用する工程を例示する図である。
【００１７】
図１において、１はコンベア、２は散水装置を示す。
【００１８】
図１に示すように、例えば、コークス工場にて製造されたコークスは、コンベア１により、高炉に装入される。
【００１９】
このとき、コークスから発じんすると大気中に煤塵が散逸して環境に悪影響を及ぼすため、コークス工場の出口付近に散水装置を設けており、本発明はこの散水を自動的に行う装置およびそれを用いた散水方法に関する。
【００２０】
図２〜図５は、本発明の自動散水装置の実施形態を例示する図であり、図２は正面図を示し、図３〜図５は側面図を示す。
【００２１】
図２〜図５において、１はコンベア、３は散水ノズル、４は給水管、５は給水弁、６は連結棒、７はレバー連結部、８は給水弁レバー（レバー）、９は傾動ローラー、１０は  傾動ローラー固定部、１１は傾動ローラー架台パイプ（架台）、１２はバネ、１３はバネ強弱調整部、１４は内蔵パイプ、１５は内蔵パイプ固定部、１６はコークスを示す。
【００２２】
図２は、本発明のコンベア上を搬送中の搬送物に自動的に散水する装置の正面図である。
【００２３】
図２に示すように、本発明は、コンベア１上を搬送中の搬送物に自動的に散水する装置であって、前記コンベア１の下部に設置され搬送物の自重によって傾斜する傾動ローラー９と、該傾動ローラー９を支持する架台１１に固定され前記傾動ローラー９および架台１１が傾動することにより捻れらるバネ１２と、前記傾動する架台１１に連結されたレバー８によって開閉する給水弁５とを有することを特徴とする。
【００２４】
搬送物がコンベア１の上に載っていると、その搬送物の自重によって傾動ローラー９を傾斜させるので、傾動ローラー架台パイプ（架台）１１が中心軸の周りを旋回して傾動するため、この傾動ローラー架台パイプ（架台）１１に固定されているバネ１２が捻られ、このバネ１２の反発力によって搬送物の自重に比例した一定範囲に傾動したところで止まる。本発明においては、このバネ１２の構造や材質は問わないが、強度が大きく、反発力の劣化が少ないことが好ましく、このため図２に示すようなバネからなる捻りバネを用いることが好ましい。
【００２５】
前記傾動ローラー架台パイプ（架台）１１には、連結棒６及びレバー連結部７を介して、給水弁レバー（レバー）８が連結されており、前記傾動ローラー９および傾動ローラー架台パイプ（架台）１１が傾動することにより、給水弁レバー（レバー）８が動作して給水弁５を開閉することができる。
【００２６】
図３〜図５は、本発明のコンベア上を搬送中の搬送物に自動的に散水する装置の側面図であり、図３はその動作を示す図、図４は散水停止中の状態を示す図、図５は散水開始時の状態を示す図である。
【００２７】
給水弁レバー（レバー）８は、図３〜図５に示すようなリンク機構になっており、支点を中心に回転する機構になっており、この給水弁レバー（レバー）８が給水弁５の開度調節端に接続されているので、給水弁レバー（レバー）８が下方に押し下げられると給水弁５を自動的に開くことができ、給水弁レバー（レバー）８が上方に押し上げられると給水弁５を自動的に閉じることができる。
【００２８】
本発明においては、給水弁５の方式は問わないが、散水量の制御を正確に行うためには、流量の制御性に優れた流量調節弁を用いることが好ましい。
【００２９】
このように、本発明は、コンベア１上の搬送物の自重によって、給水弁レバー（レバー）８が自動的に動作して給水弁５を開閉するため、搬送物の単位時間当たりの搬送量に比例した散水量を適正に保つことができる。
【００３０】
また、散水ノズル３は、コンベア１の進行方向に数個所設置することが好ましく、コンベア１のベルト横を避けることにより、ベルトに水が掛からないようにすることによって、ベルト上の搬送物の落下を防止することができる。
【００３１】
なお、バネ１２は、図２に示すように、固定された内蔵パイプ１４に連結されており、バネ１２の端部にバネ強弱調整部１３を設けることにより、反発力を調整することができ、この反発力を調節することによって、散水量の調節を行うことができる。
【００３２】
また、本発明の自動散水装置の機構を用いることによって、傾動ローラー９を押し上げることによって、コンベア１の断面形状を下側にに凸状から、上側に凸状に変化させることができ、これによって、コンベア１上に溜まった水を排出する水切り装置としても使用することができる。
【００３３】
また、図２〜図５に示す自動散水装置を用いてコークスに散水することによって、コークスからの発じんを防止することができる。
【００３４】
さらに、そのコークスの単位時間当たりの搬送量に比例して前記給水弁の開度を調節して、該コークスの搬送量に応じた水量を散水することによって、コークスに含まれる水分を高炉操業に支障のない８％以下の範囲内にコントロールすることができる。
【００３５】
なお、本発明の自動散水装置を集塵機の稼動信号に連動させることによって、例えば、集塵機が停止した場合に自動的に散水装置を稼動させることもできる。
【００３６】
さらに、本発明の自動散水装置の稼動情報を搬送物の荷切れなどの搬送状態を検知する手段として用いることもできる。
【実施例】
【００３７】
図２および図３の自動散水装置をコークスに適用した実施例を以下に示す。
【００３８】
【表１】
2012006700.tif 000003
本実施例においては、散水量を１０（T/H）としたところコークスの搬送中に自動的に散水することができ、コークスからの発じんを散水しない場合に比べて８３〜９４％減少させることができた。
【００３９】
また、コークス中の水分は高炉操業に適した８％以下であった。
【符号の説明】
【００４０】
１  コンベア
２  散水装置
３  散水ノズル
４  給水管
５  給水弁
６  連結棒
７  レバー連結部
８  給水弁レバー（レバー）
９  傾動ローラー
１０  傾動ローラー固定部
１１  傾動ローラー架台パイプ（架台）
１２  バネ
１３  バネ強弱調整部
１４  内蔵パイプ
１５  内蔵パイプ固定部
１６  コークス
【図１】
2012006700.tif 000004
【図２】
2012006700.tif 000005
【図３】
2012006700.tif 000006
【図４】
2012006700.tif 000007
【図５】
2012006700.tif 000008